(57)【要約】【課題】鳥害を防止したい箇所に設置可能でしかも小型化、軽量化を実現したシート型鳥害防止装置を提供する。【解決手段】シート型鳥害防止装置１は、可撓性及び絶縁性を有する帯状のベースシート１０と、可撓性を有しかつ前記帯状シートに配置されるシート状太陽電池２０と、ベースシート１０におけるシート状太陽電池２０が配置された面に、ベースシート１０の長手方向に沿って配置される２本の電極線３４、３４と、シート状太陽電池２０の電力を高電圧パルスに変換する高電圧発生回路を有し、高電圧パルスを２本の電極線３４、３４に印加する制御装置４０とを備える。【選択図】図１
2013172608.tif 000002
【特許請求の範囲】
【請求項１】
可撓性及び絶縁性を有する帯状シートと、
可撓性を有しかつ前記帯状シートに配置されるシート状太陽電池と、
前記帯状シートにおける前記シート状太陽電池が配置された面に、前記帯状シートの長手方向に沿って配置される２本の電極と、
前記シート状太陽電池の電力を高電圧パルスに変換する高電圧発生回路を有し、当該高電圧パルスを前記２本の電極に印加する制御装置とを備えることを特徴とするシート型鳥害防止装置。
【請求項２】
前記制御装置は、前記２本の電極間に所定時間継続して短絡電流が流れた場合に、高電圧の発生を停止させる制御信号を前記高電圧発生回路に送出する保護回路を更に備えることを特徴とする請求項１記載のシート型鳥害防止装置。
【請求項３】
前記制御装置は、前記高電圧発生回路から高電圧パルスが通電されていることを発光状態によって報知する発光素子を更に備えることを特徴とする請求項１又は２記載のシート型鳥害防止装置。
【請求項４】
前記帯状シートは、紐状部材を用いて所定の設置場所に設置する際に、前記紐状部材を挿通する取付孔を有することを特徴とする請求項１乃至３のいずれか１項記載のシート型鳥害防止装置。
【発明の詳細な説明】
【技術分野】
【０００１】
本発明は、電柱、送電鉄塔あるいは無線鉄塔等に鳥類が営巣したり、ケーブルに鳥が止まったりしないように、鳥類を追い払うシート型鳥害防止装置に関する。
【背景技術】
【０００２】
従来、電柱、送電鉄塔あるいは無線鉄塔に鳥類が営巣すると、この巣が起因となって停電のような電気事故を引き起したり、鳥類がゴミや糞を落とし、巣の下方付近を汚したりするといった問題が発生する。また、ケーブルに鳥が止まった場合も同様に、その鳥の糞が落下し、ケーブル下方付近を汚すといった問題が発生する。
【０００３】
そこで、従来、電柱や鉄塔に鳥類が止まらないように、テグスや鋭利な突起物といった障害物を設置したり、外敵の声を発する装置を設置したり、反射光で威嚇する装置等を設置するといった対策が提案されている。しかし、このような対策では、学習能力の高い鳥類に対して次第に効果が薄くなってくる。
【０００４】
このため、更なる対策として電気ショックによる鳥害防止装置が提案されている。例えば、特許文献１には、帯状の絶縁部材の上部に導電部材が配設されてなり、鉄塔部材上に長手方向に沿って載置される鉄塔載置材と、導電部材に、鉄塔部材の電位に対して所定電位差の電圧を印加する給電部とを有し、鳥が導電部材及び鉄塔部材に同時に触れるとき、導電部材と鉄塔部材との間に鳥を介して電流を流し、鳥に電気的ショックを与える、といった技術が開示されている。
【先行技術文献】
【特許文献】
【０００５】
【特許文献１】特開２００７−１７４７６２号公報
【発明の概要】
【発明が解決しようとする課題】
【０００６】
しかしながら、特許文献１の装置は、送電線鉄塔の架空地線を流れる誘導電流を電源として利用しているため、鉄塔以外の場所への適用が難しい。また、電源部が高圧電線の充電部に近いため、設置工事やメンテナンスの作業が難しい、といった問題点がある。また、特許文献１の装置は、鉄塔の平面箇所に設置可能であるが、ケーブルのような細い円筒状の部材への設置は困難である。
【０００７】
本発明は、このような問題点を解決し、鳥害を防止したい箇所に設置可能でしかも小型化、軽量化を実現したシート型鳥害防止装置を提供することを目的とする。
【課題を解決するための手段】
【０００８】
前記目的を達成するため、本発明は、次に記載する構成を備えている。
【０００９】
（１）  可撓性及び絶縁性を有する帯状シートと、可撓性を有しかつ前記帯状シートに配置されるシート状太陽電池と、前記帯状シートにおける前記シート状太陽電池が配置された面に、前記帯状シートの長手方向に沿って配置される２本の電極と、前記シート状太陽電池の電力を高電圧パルスに変換する高電圧発生回路を有し、当該高電圧パルスを前記２本の電極に印加する制御装置とを備えることを特徴とするシート型鳥害防止装置。
【００１０】
（１）によれば、２本の電極を鳥類がまたいだときに、鳥類に高電圧弱電流が流れ、いわゆる電気ショックを与えることにより、鳥類を追い払うことが可能になる。また、１枚の可撓性を有する帯状シートに、シート状太陽電池と２本の電極を配置した構成であるため装置の簡略化が可能になり、装置全体の小型化、軽量化を図ることが可能になる。更に、帯状シート及びシート状太陽電池が、共に可撓性を備えているため、シート型鳥害防止装置の設置の自由度を向上させることが可能になる。これにより、鳥害を防止したい箇所に設置可能になる。
【００１１】
（２）  （１）において、前記制御装置は、前記２本の電極間に所定時間継続して短絡電流が流れた場合に、高電圧パルスの発生を停止させる制御信号を前記高電圧発生回路に送出する保護回路を更に備えることを特徴とするシート型鳥害防止装置。
【００１２】
（２）によれば、例えば、雨天時や、鳥類が営巣のために運んできた金属片が２本の電極に同時に接触する等短絡状態となった場合に、高電圧発生回路における高電圧パルスの発生を停止させる。これにより、シート状太陽電池と制御装置とを短絡電流から保護することが可能になる。
【００１３】
（３）  （１）、（２）において、前記制御装置は、前記高電圧発生回路から高電圧パルスが通電されていることを発光状態によって報知する発光素子を更に備えることを特徴とするシート型鳥害防止装置。
【００１４】
（３）によれば、高電圧発生回路が高電圧パルスを発生した通電状態であるか否かを、発光素子を目視することによって確認可能になる。
【００１５】
（４）  （１）〜（３）において、前記帯状シートは、紐状部材を用いて所定の設置場所に設置する際に、前記紐状部材を挿通する取付孔を有することを特徴とするシート型鳥害防止装置。
【００１６】
（４）によれば、シート型鳥害防止装置を、紐状部材を用いて例えばケーブルに設置することが可能になる。
【発明の効果】
【００１７】
本発明によれば、鳥害を防止したい箇所に設置可能で、しかも小型化、軽量化を実現したシート型鳥害防止装置を提供することが可能になる。
【図面の簡単な説明】
【００１８】
【図１】本発明の一実施形態におけるシート型鳥害防止装置１の構成を示す図である。
【図２】制御装置４０の回路系を示すブロック図である。
【図３】本実施形態のシート型鳥害防止装置１を鉄塔に取り付けた場合の態様を示す斜視図である。
【図４】本実施形態のシート型鳥害防止装置１をケーブルに取り付けた場合の態様を示す斜視図である。
【発明を実施するための形態】
【００１９】
以下、本発明の実施形態について、図面を参照しながら詳細に説明する。
【００２０】
図１は、本発明の一実施形態におけるシート型鳥害防止装置１の構成を示す図であり、図１（ａ）は平面図、図１（ｂ）は側面図である。シート型鳥害防止装置１は、帯状シートに相当するベースシート１０と、シート状太陽電池２０と、帯状電極３０と、制御装置４０とを備えている。
【００２１】
ベースシート１０は、可撓性及び絶縁性を有する帯状の矩形シートである。
シート状太陽電池２０は、可撓性を有するシート状の基板に可撓性を有するシート状の太陽電池を複数直列に実装してなる直流電源である。また、１個あたりのシート状の太陽電池は、８ｃｍ×８ｃｍの大きさで５〜６Ｗの電力を発生する。
【００２２】
帯状電極３０は、透明でかつ可撓性及び絶縁性を有する帯状のシート基板３２と、電極に相当する二本の電極線３４、３４とを備えている。二本の電極線３４、３４は、シート基板３２上に、シート基板３２の長手方向に沿って平行に並列配置されている。ここで、二本の電極線３４、３４には絶縁性の保護膜が被覆されていないため、例えば、二本の電極線３４、３４に導電部材が接触した場合には、その導電部材に電流が流れるようになる。二本の電極線３４、３４の間隔は３．５〜４ｃｍ程度である。
【００２３】
制御装置４０は、シート状太陽電池２０の電力を高電圧パルスに変換し、この高電圧パルスを２本の電極線３４、３４に印加するものである。
【００２４】
図２は、制御装置４０の電気回路を示すブロック図である。制御装置４０は、電源スイッチ４２と、発光素子に相当する通電中表示ＬＥＤ４４と、高電圧発生回路４６と、過電流保護回路４８と、シート状太陽電池２０に接続する電源端子（図示せず）と、二本の電極線３４、３４に接続する電極端子（図示せず）とを備えている。
【００２５】
電源スイッチ４２は、外部操作可能なスイッチである。通電中表示ＬＥＤ４４は、２本の電極線３４、３４に印加される高電圧パルスが発生している間に発光する。
【００２６】
図２に示すように、高電圧発生回路４６は電極線３４、３４に電気的に接続されており、高電圧発生回路４６と電極線３４、３４との間に、通電中表示ＬＥＤ４４及び過電流保護回路４８が電気的に接続されている。また、過電流保護回路４８は高電圧発生回路４６に電気的に接続されている。
【００２７】
高電圧発生回路４６は、高電圧発生部４６ａと、電源制御部４６ｂとを備えている。高電圧発生部４６ａは、シート状太陽電池２０が発生する電力を５０００〜７０００Ｖ程度の高電圧パルスに変換して、高電圧パルスを二本の電極線３４、３４に印加する。この時、一方の電極線３４がオンの場合に他方の電極線３４がオフになるように、二本の電極線３４、３４に高電圧パルスが印加される。また、電源制御部４６ｂは、シート状太陽電池２０から高電圧発生部４６ａへの電力供給をオンオフする制御を行う。
【００２８】
過電流保護回路４８は、２本の電極線３４、３４間に短絡電流が流れた場合に、パルス状の制御信号を高電圧発生回路４６の電源制御部４６ｂに送出する回路である。ここで、短絡電流は、二本の電極線３４に高電圧パルスが印加されていることから、電流の向きが一定時間毎に切り替わる。このため、短絡電流は一定時間毎に切り替わる交流パルスとして出力され、この交流パルスに基づいてパルス状の制御信号が生成される。
【００２９】
更に、電源制御部４６ｂは、過電流保護回路４８から制御信号を受信した場合にパルス数をカウントするカウンタを備えている。具体的には、電源制御部４６ｂは、予め設定された一定時間以内に、パルス波を検出したか否かを判別し、パルス波を検出したと判別した場合にカウンタの値を＋１とし、パルス波を検出していないと判別した場合にカウンタの値をリセットする。また、電源制御部４６ｂは、電源スイッチ４２がオンになったことを検知した場合にもカウンタの値をリセットする。なお、予め設定された一定時間は、過電流保護回路４８において制御信号を構成するパルスが発生する時間間隔に相当する。
【００３０】
そして、電源制御部４６ｂは、カウンタの数値が例えば３０回になった場合に、シート状太陽電池２０から高電圧発生部４６ａへの電力供給を停止させる制御を行う。これにより、高電圧発生部４６ａが高電圧パルスの発生を停止する。
【００３１】
次に、制御装置４０の動作について詳細に説明する。
電源スイッチ４２がオンになると、電源制御部４６ｂは高電圧発生部４６ａへの電力供給を開始し、高電圧発生部４６ａは高電圧パルスの発生を開始する。高電圧発生回路４６で発生した高電圧パルスは、通電中表示ＬＥＤ４４及び過電流保護回路４８を介して二本の電極線３４に印加される。通常は、この状態で維持される。そして、シート型鳥害防止装置１上において、鳥類が二本の電極線３４、３４に跨って接触した場合には、高電圧弱電流が鳥類に流れ、いわゆる電気ショックが与えられる。これにより、鳥類を追い払うことが可能になる。
【００３２】
また、鳥類ではなく例えば金属片が、二本の電極線３４、３４に跨って接触した場合等、二本の電極線３４、３４が短絡した場合には、過電流保護回路４８に短絡電流が流れる。過電流保護回路４８は、短絡電流に基づいてパルス状の制御信号が生成してパルス状の制御信号を高電圧発生回路４６に送出する。言い換えれば、過電流保護回路４８は、短絡電流が検出される期間中に継続してパルス状の制御信号を高電圧発生回路４６に送出する。
【００３３】
そして、高電圧発生回路４６の電源制御部４６ｂは、制御信号を構成するパルス数をカウントし、カウント数が例えば３０回になった場合に、高電圧発生部４６ａにおける高電圧パルスの発生を停止させる。これにより、シート状太陽電池２０と制御装置４０とを短絡電流から保護することが可能になる。すなわち、シート型鳥害防止装置１上に鳥類が二本の電極線３４、３４に跨って接触した場合には、鳥類が電気ショックによってシート型鳥害防止装置１から離れるため、電源制御部４６ｂがカウントするカウント数は数回程度であるが、金属片が電極線３４、３４に跨って接触した場合には、カウント数が多くなるため、鳥類の接触であるか否かを区別することができる。
【００３４】
また、高電圧発生回路４６が高電圧パルスを発生している間は、通電中表示ＬＥＤ４４に通電されるため、通電中表示ＬＥＤ４４が発光し、高電圧発生回路４６が高電圧パルスを発生を停止している間は、通電中表示ＬＥＤ４４は発光しない。このように、作業員は、通電中表示ＬＥＤ４４の発光態様を確認することにより、シート型鳥害防止装置１が正常に動作しているか否かを判別することが可能になる。
【００３５】
そして、作業員は、通電中表示ＬＥＤ４４が発光していないことを視認した場合に、電源スイッチ４２をオフにして、短絡状態となった原因を除去、例えば金属片を取り除いたり水滴を拭き取ったりした後、再び電源スイッチ４２をオンにする。これにより、電源制御部４６ｂのカウンタがリセットされ、高電圧発生部４６ａは高電圧パルスの発生を開始する。
【００３６】
なお、電源制御部４６ｂは、電源スイッチ４２をオンにした場合、又は制御信号を構成するパルスが途中で途切れ、カウンタの値が３０回にならない場合に、カウンタの値をリセットするが、それ以外でも、例えば、高電圧発生回路４６にタイマ機能を設け、所定時間ごと（例えば、４時間ごと）にカウンタの値をリセットしてもよい。これにより、例えば、雨天時において二本の電極線３４、３４間に水滴が付着して短絡状態になって、高電圧発生部４６ａが高電圧パルスの発生を停止した場合に、その後の所定時刻において雨がやんで二本の電極線３４、３４間に水滴が無くなっていれば、高電圧発生部４６ａが高電圧パルスの発生を再開することが可能になる。
【００３７】
図１（ｂ）に戻り、シート型鳥害防止装置１は、ベースシート１０上に、シート状太陽電池２０及び帯状電極３０を重ねて搭載し、更に、ベースシート１０の一端部でかつシート状太陽電池２０及び帯状電極３０の側方に制御装置４０を搭載し、シート状太陽電池２０及び電極線３４、３４と制御装置４０とを電気的に接続することによって構成される。なお、シート基板３２は、シート状太陽電池２０の表面を保護する役割を果たす。
【００３８】
また、シート型鳥害防止装置１は、図１（ａ）に示すように、複数箇所に貫通孔である取付孔５０が形成されている。本実施形態においては、ベースシート１０の四隅、及びベースシート１０の中央部における長手方向に対して垂直方向の両端部の計６箇所に取付孔５０が形成されている。
【００３９】
図３は、本実施形態のシート型鳥害防止装置１を鉄塔の鉄骨１００に取り付けた場合の態様を示す斜視図である。また、図４は、本実施形態のシート型鳥害防止装置１をケーブル１２０に取り付けた場合の態様を示す斜視図である。
【００４０】
シート型鳥害防止装置１を取り付ける際には、まず、シート型鳥害防止装置１の長手方向に対して垂直方向に対向する取付孔５０、５０に紐状部材６０を通す。本実施形態においてはシート型鳥害防止装置１の両端部及び中央部の３箇所において対向している取付孔５０、５０にそれぞれ紐状部材６０を通す。
【００４１】
そして、シート型鳥害防止装置１を、鉄塔を構成するＬ字型の鉄骨１００に設置する場合には、図３に示すように、鉄骨１００の片方の表面にシート型鳥害防止装置１を載せ、紐状部材６０を鉄骨１００に巻き付けて縛る。シート型鳥害防止装置１を、ケーブル１２０に設置する場合には、図４に示すように、ケーブル１２０にシート型鳥害防止装置１を巻き付け、紐状部材６０を縛る。このように、鉄骨やケーブルのような細い場所であっても、紐状部材６０を用いてシート型鳥害防止装置１を設置することが可能である。
【００４２】
なお、シート型鳥害防止装置１の設置箇所が磁性を有する金属であれば、ベースシート１０におけるシート状太陽電池２０の設置面の反対面にマグネット（図示せず）を設け、このマグネットを設置箇所に吸着させることによってシート型鳥害防止装置１を設置してもよい。また、シート型鳥害防止装置１の設置箇所が平面であれば、ベースシート１０の反対面に両面に粘着性を有するテープ部材あるいは接着剤を用いて、設置箇所にシート型鳥害防止装置１を貼着してもよい。
【００４３】
また、シート型鳥害防止装置１の設置箇所が木材であれば、取付孔５０、５０に木ねじを通して設置することも可能である。このように、シート型鳥害防止装置１の設置箇所に合わせてシート型鳥害防止装置１の取り付け方を適宜変えることが可能である。
【００４４】
また、本実施形態のシート型鳥害防止装置１は、夜間時においてはシート状太陽電池２０が発電しないため、電極線３４に高電圧パルスが印加されない。このため、夜間の鳥類に対して電気ショックを与えることが困難である。しかし、多くの鳥類は、日中に行動し、夜間には山林に帰る習性があることから、日中に鳥類に対して電気ショックを与えることにより、鳥害を防止する効果が得られる。
【００４５】
以上説明したように構成された本実施形態によれば、次に記載する作用効果を奏する。
【００４６】
本実施形態によれば、２本の電極線３４、３４を鳥類が跨いだときに、鳥類に高電圧弱電流が流れ、いわゆる電気ショックを与えることにより、鳥類を追い払うことが可能になる。また、１枚の可撓性を有するベースシート１０に、シート状太陽電池２０と２本の電極線３４、３４を配置した構成であるため、装置全体の小型化、軽量化を図ることが可能になる。更に、ベースシート１０及びシート状太陽電池２０が、共に可撓性を備えているため、シート型鳥害防止装置１の設置の自由度を向上させることが可能になる。これにより、鳥害を防止したい箇所に設置可能になる。
【００４７】
また本実施形態によれば、過電流保護回路４８を有することにより、例えば、雨天時や、鳥類が営巣のために運んできた金属片が２本の電極線３４、３４に同時に接触する等短絡状態となった場合に、高電圧発生回路４６からの高電圧パルスの発生を停止させる。これにより、シート状太陽電池２０と制御装置４０とを短絡電流から保護することが可能になる。
【００４８】
また本実施形態によれば、通電中表示ＬＥＤ４４の発光態様により、高電圧発生回路が高電圧パルスを発生した通電状態であるか否かを目視によって確認することが可能になる。このため、例えば、作業員が、鉄塔等の高所で作業する際に、電源スイッチ４２を切ることにより、シート型鳥害防止装置１を気にすることなく安全に作業を行うことが可能になる。
【００４９】
また本実施形態によれば、ベースシート１０が、紐状部材６０を用いて所定の設置場所に設置する際に、紐状部材６０を挿通する取付孔５０を有することにより、シート型鳥害防止装置１を、紐状部材６０を用いて例えばケーブル１２０に設置することが可能になる。このように、ケーブル１２０のように細く形状が変化するような場所でも設置することが可能になる。
また本実施形態によれば、シート型鳥害防止装置１は、それ自体巻くことが可能であるため、持ち運びが容易になる。
【００５０】
また本実施形態によれば、ベースシート１０に全ての部品が実装されているため、配線が不要であり、設置が簡単であると共に断線等による故障を低減することが可能である。特に、本実施形態のシート型鳥害防止装置１はコンパクトかつ軽量であるため、ケーブル１２０への鳥害を防止するために設置する場合に、ケーブル本体や電柱への重量や風圧加重を軽減することが可能である。
【００５１】
以上、本発明の実施形態について説明したが、本発明は、上述した実施形態に限るものではない。例えば、本実施形態のシート型鳥害防止装置１は、鳥類に電気ショックを与えるものであるが、それに限らず、付加機能として、シート状太陽電池２０を電源とするフラッシュライト、電磁波発生装置、超音波発生装置を内蔵又は外部に接続することも可能である。
【００５２】
また、上述した本実施形態のシート型鳥害防止装置１は、制御装置４０がベースシート１０上に搭載されているが、それに限らず、ベースシート１０上のシート状太陽電池２０や電極線３４、３４と制御装置４０とをリード線によって接続し、更に、一つの制御装置４０に対して、シート状太陽電池２０及び電極線３４、３４を有する複数のシートを並列に接続してもよい。これにより、一個の制御装置４０の電源スイッチ４２を操作することにより、シート状太陽電池２０及び電極線３４、３４を有する複数のシートへの高電圧パルスの印加を停止することが可能になり、例えば、鉄塔作業において、作業員がシート型鳥害防止装置１の電源スイッチ４２を一つ一つ操作する手間が省略可能になる。
【００５３】
また、帯状電極３０を複数用意し、帯状電極３０同士を直列に接続することにより、電極線３４、３４の長さを延長させることも可能である。
【００５４】
また、上述した本実施形態のシート型鳥害防止装置１は、制御信号を構成するパルスを３０回連続したカウントした場合に、高電圧発生回路４６が高電圧パルスの発生を停止するが、それに限らず、５０回連続したカウントした場合でもよく、適宜設定可能である。
【００５５】
また、電極線３４、３４は、導電性の金属線であるが、それに限らず、導電性塗料をシート基板３２に塗布することによって構成してもよい。
【符号の説明】
【００５６】
１  シート型鳥害防止装置
１０  ベースシート
２０  シート状太陽電池
３０  帯状電極
３２  シート基板
３４  電極線
４０  制御装置
４２  電源スイッチ
４４  通電中表示ＬＥＤ
４６  高電圧発生回路
４６ａ  高電圧発生部
４６ｂ  電源制御部
４８  過電流保護回路
５０  取付孔
６０  紐状部材
１００  鉄骨
１２０  ケーブル
【図１】
2013172608.tif 000003
【図２】
2013172608.tif 000004
【図３】
2013172608.tif 000005
【図４】
2013172608.tif 000006